(57)【要約】【課題】シャッターの移動操作のみで画像の静止機能と画像のミュート機能を実現できるプロジェクターを提供する。【解決手段】シャッター４が開放位置、閉鎖位置、及び画像保存位置のいずれの位置にあるかを検出するシャッター位置検出部１５と、入力画像を保存する入力画像保存部２２を備え、投写中にシャッター４が開放位置から画像保存位置に移動したことを検出した場合に入力画像を入力画像保存部２２に保存するとともに画像投写部１０に投写させる。【選択図】図３
2012220599.tif 000002
【特許請求の範囲】
【請求項１】
光源から射出された光を画像情報に応じて変調して被投写面に投写する画像投写部と、
前記光源から前記被投写面に至る間の光を遮断するシャッターと、
前記シャッターが開放位置、閉鎖位置、及び画像保存位置のいずれの位置にあるかを検出するシャッター位置検出部と、
外部機器から画像信号を入力する信号入力部と、
前記信号入力部より入力される前記画像信号の画像データを保存する入力画像保存部と、
当該プロジェクターの動作を制御する制御部と、
を備え、
前記制御部は、前記シャッターが前記開放位置から前記画像保存位置に移動したことを検出した場合に、前記画像データを前記入力画像保存部に保存するとともに、前記画像データを前記画像投写部に投写させることを特徴とする、プロジェクター。
【請求項２】
請求項１に記載のプロジェクターであって、
前記制御部は、前記シャッターが前記閉鎖位置にあることを検出した場合に、予め設定されたミュート画像を前記画像投写部に投写させることを特徴とする、プロジェクター。
【請求項３】
請求項２に記載のプロジェクターであって、
前記制御部は、前記シャッターが前記閉鎖位置から前記画像保存位置に移動したことを検出した場合に、前記入力画像保存部に保存された前記画像データを前記画像投写部に投写させることを特徴とする、プロジェクター。
【請求項４】
請求項１から３のいずれか一項に記載のプロジェクターであって、
前記信号入力部は前記外部機器より音声信号をさらに入力し、
前記外部機器より入力される前記音声信号を出力する音声出力部をさらに備え、
前記制御部は、前記シャッターが前記画像保存位置にあることを検出した場合に、前記信号入力部より入力される前記音声信号の出力を停止することを特徴とする、プロジェクター。
【請求項５】
光源から射出された光を画像情報に応じて変調して被投写面に投写する画像投写部と、
前記光源から前記被投写面に至る間の光を遮断するシャッターと、
外部機器から画像信号を入力する信号入力部と、
前記信号入力部より入力される前記画像信号の画像データを保存する入力画像保存部と、
を備えたプロジェクターの制御方法であって、
前記シャッターが開放位置、閉鎖位置、及び画像保存位置のいずれの位置にあるかを検出するシャッター位置検出ステップと、
前記シャッターが前記開放位置から前記画像保存位置に移動したことを検出した場合に、前記画像データを前記入力画像保存部に保存するとともに、前記画像データを前記画像投写部に投写させる、入力画像保存ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターを使ったプレゼンテーションにおいて、次のプレゼンテーションへの切替時に操作中の画面を見せたくない場合、一時的に画像の投写を中止する画面ミュート機能や、現在投写中の画面を保存し、表示を継続する、いわゆる画面静止機能などが使われている。これらの機能を実行するキーはリモートコントローラー（リモコン）のみに備えられ、本体キーからは省略される場合が多く、本体キーのみで操作している場合には使えなかった。
特許文献１にはスライド式のレンズシャッターを閉じることで画像投写を中止できるプロジェクターが開示されている。
【先行技術文献】
【特許文献】
【０００３】
【特許文献１】特開２００７−２４０５５１号公報
【発明の概要】
【発明が解決しようとする課題】
【０００４】
しかしながら、特許文献１のプロジェクターではスライド式レンズシャッターにより、画面ミュート機能は実現できるが、表示中の画像を静止状態にすることはできない。このため、本体操作部に画面静止用のキーを持つ必要があり、本体操作部の操作キーが増えてコストアップになり、さらに操作が煩雑になるという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して被投写面に投写する画像投写部と、前記光源から前記被投写面に至る間の光を遮断するシャッターと、前記シャッターが開放位置、閉鎖位置、及び画像保存位置のいずれの位置にあるかを検出するシャッター位置検出部と、外部機器から画像信号を入力する信号入力部と、前記信号入力部より入力される前記画像信号の画像データを保存する入力画像保存部と、当該プロジェクターの動作を制御する制御部と、を備え、前記制御部は、前記シャッターが前記開放位置から前記画像保存位置に移動したことを検出した場合に、前記画像データを前記入力画像保存部に保存するとともに、前記画像データを前記画像投写部に投写させることを特徴とする。
【０００７】
本適用例によれば、シャッターを画像保存位置に移動することにより、入力画像を保存して投写し、シャッターを閉鎖位置にすることで、画像の投写を中断する。これにより、シャッターの移動という簡易な操作のみで入力画像静止機能と、画像の投写を中断するミュート機能とを実現することが可能となる。
【０００８】
［適用例２］上記適用例に記載のプロジェクターにおいて、前記制御部は、前記シャッターが前記閉鎖位置にあることを検出した場合に、予め設定されたミュート画像を前記画像投写部に投写させることを特徴とする。
【０００９】
本適用例によれば、シャッターを閉鎖位置に移動することにより予め定められたミュート画像を投写する。これにより、シャッター操作による画像静止後に別途操作をすることなくミュート画像を投写させることが可能となる。
【００１０】
［適用例３］上記適用例に記載のプロジェクターにおいて、前記制御部は、前記シャッターが前記閉鎖位置から前記画像保存位置に移動したことを検出した場合に、前記入力画像保存部に保存された前記画像データを前記画像投写部に投写させることを特徴とする。
【００１１】
本適用例によれば、シャッターを閉鎖位置から画像保存位置に移動することにより、入力画像保存部に保存された画像データを投写する。これにより、一度画像ミュート状態にした後でも画像ミュート直前に保存した画像を再度投写させることが可能となる。
【００１２】
［適用例４］上記適用例に記載のプロジェクターにおいて、前記信号入力部は前記外部機器より音声信号をさらに入力し、前記外部機器より入力される前記音声信号を出力する音声出力部をさらに備え、前記制御部は、前記シャッターが前記画像保存位置にあることを検出した場合に、前記信号入力部より入力される前記音声信号の出力を停止することを特徴とする。
【００１３】
本適用例によれば、シャッターを画像保存位置に移動することにより画像を静止した状態で音声出力も中断する。これにより、別途音量操作、音声出力停止操作をすることなく、簡易な操作で画像静止と音声ミュート機能とを実現することが可能となる。
【００１４】
［適用例５］本適用例に係るプロジェクターの制御方法は、光源から射出された光を画像情報に応じて変調して被投写面に投写する画像投写部と、前記光源から前記被投写面に至る間の光を遮断するシャッターと、外部機器から画像信号を入力する信号入力部と、前記信号入力部より入力される前記画像信号の画像データを保存する入力画像保存部と、を備えたプロジェクターの制御方法であって、前記シャッターが開放位置、閉鎖位置、及び画像保存位置のいずれの位置にあるかを検出するシャッター位置検出ステップと、前記シャッターが前記画像保存位置にあることを検出した場合に、前記画像データを前記入力画像保存部に保存するとともに、前記画像データを前記画像投写部に投写させる、入力画像保存ステップと、を有することを特徴とする。
【００１５】
本適用例によれば、シャッターを画像保存位置にすることにより、入力画像を保存して投写し、シャッターを閉鎖位置にすることで、画像の投写を中断する。これにより、シャッターの移動という簡易な操作のみで入力画像静止機能と、画像の投写を中断するミュート機能とを実現することが可能となる。
【図面の簡単な説明】
【００１６】
【図１】プロジェクターの斜視図。
【図２】プロジェクターの部分平面図であり、スリット周辺を部分的に示す図。
【図３】プロジェクターの部分正面図であり、シャッターの開閉状態を示す図。（ａ）はシャッターが閉鎖位置にあるとき、（ｂ）はシャッターが画像保存位置にあるとき、（ｃ）はシャッターが開放位置にあるときの状態を示す。
【図４】プロジェクターの回路構成を示すブロック図。
【図５】プロジェクターが動作中にシャッターの移動を検出したときの動作を示すフローチャート。
【図６】シャッター位置検出部の検出状態を示す図。（ａ）はシャッターが閉鎖位置にあるとき、（ｂ）はシャッターが画像保存位置にあるとき、（ｃ）はシャッターが開放位置にあるときの検出状態を示す。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１に示すように、プロジェクター１は、上面２ｔ、前面２ｆなどを有する筐体２によって装置本体が覆われた構成となっている。なお、本実施形態においては、プロジェクター１に対して、投写方向でもある前面２ｆ方向を前方とし、前面２ｆの反対側である背面方向を後方とする。また、プロジェクター１から投写方向に向かった左右の方向を、左右方向として説明する
【００１９】
筐体２の上面２ｔには、ユーザーにより入力操作が行われる複数の操作キーを備えた入力操作部２３が備えられている。
筐体２の前面２ｆには、開口部３が形成されている。また、筐体２の内側である開口部３の後方には、前方に向かって画像光を投写する投写レンズ１３が備えられている。
開口部３には、カバー部材としてのシャッター４が開閉可能に備えられており、開口部３をシャッター４で閉塞することによって、投写レンズ１３を保護するとともに投写光を遮光することが可能となっている。
【００２０】
シャッター４は、合成樹脂製で略矩形の板状体であり、その１つの角部には、開口部３の開閉操作を行うための操作ツマミ４ａが一体的に形成されている（図３参照）。操作ツマミ４ａは、筐体２の上面２ｔに形成されたスリット５から露出しており、そのスリット５に沿って操作ツマミ４ａを左右にスライド操作することによって、シャッター４が移動し開口部３の開閉を行うことができる。また、操作ツマミ４ａは、筐体２の上面２ｔよりも上方に突出するようになっており、スライド操作を容易にしている。
【００２１】
図２は、プロジェクター１の部分平面図であり、筐体２の上面２ｔに設けられた、スリット５の周辺部を部分的に示している。また、図３（ａ）〜（ｃ）は、プロジェクター１の部分正面図であり、シャッター４による開口部３の開閉状態を示している。
【００２２】
図２に示すように、スリット５は、筐体２の前面２ｆと並行するように形成されており、シャッター４は、操作ツマミ４ａがスリット５の左端部（前方に向かって左側の端部）５ａに接する位置と、操作ツマミ４ａがスリット５の右端部（前方に向かって右側の端部）５ｃに接する位置との間を移動可能になっている。
つまり、シャッター４は、不図示のスライド機構によって前面２ｆに沿った横方向に摺動可能になっており、図３（ｃ）に示すように、開口部３に配置された投写レンズ１３をシャッター４で遮ることなく、外部に露出させることにより投写光を遮断しない開放位置（右端部５ｃ）と、図３（ａ）に示すように、開口部３に配置された投写レンズ１３をシャッター４で覆うことにより、投写光を遮断する閉鎖位置（左端部５ａ）との間で選択的に移動可能となっている。
また、スリット５には左端部５ａと右端部５ｃの間に位置５ｂがあり、図３（ｂ）に示すように、右端部５ｃの開放位置と同様に開口部３に配置された投写レンズ１３を外部に露出させることにより投写光を遮断しないようになっている。
【００２３】
これ以降、操作ツマミ４ａをスリット５の左端部５ａに移動させたときのシャッター４の位置を「閉鎖位置」と呼び、操作ツマミ４ａをスリット５の右端部５ｃに移動させたときのシャッター４の位置を「開放位置」と呼び、操作ツマミ４ａをスリット５の位置５ｂに移動させたときのシャッター４の位置を「画像保存位置」と呼ぶ。
シャッター４の後方には、フォトセンサー１５ａ（図６参照）が配置されており、シャッター４が、開放位置、閉鎖位置、及び画像保存位置のいずれにあるかを判断することができる。
【００２４】
図４は、本実施形態のプロジェクター１の回路構成を示すブロック図である。
図４に示すように、プロジェクター１は、画像投写部１０、制御部２０、記憶部２１、光源制御部２５、入力操作部２３、入力画像保存部２２、信号入力部１８、画像信号処理部１７、ＯＳＤ処理部１６、シャッター位置検出部１５、音声信号処理部４０、音声出力部４１、電源端子３０、電源部３１等で構成されており、これらは筐体２（図１、及び図２）の内部に収容されている。
【００２５】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調し、投写レンズ１３から投写することによってスクリーンＳＣ等に画像を表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２７】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００２８】
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
【００２９】
形成された各色の画像光は、図示しない色合成光学系によって画素毎に合成されてカラーの画像光となった後、投写レンズ１３によってスクリーンＳＣ等に拡大投写される。
【００３０】
上記実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
なお、上記実施形態では、画像投写部１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３１】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０は時間を計時するタイマー２０ａを備える。
【００３２】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
【００３３】
入力操作部２３は、ユーザーがプロジェクター１に対して各種指示を行うための複数の操作キーを備えている。入力操作部２３が備える操作キーとしては、電源のオン・オフを交互に切り替えるための電源キーや、信号入力部１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００３４】
ユーザーが入力操作部２３の各種操作キーを操作すると、入力操作部２３は、ユーザーの操作内容に応じた操作信号を制御部２０に出力する。なお、入力操作部２３は、リモートコントローラー（リモコン）信号受信部（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信部がこれを受信して制御情報として制御部２０に伝達する。
【００３５】
信号入力部１８は、上述したように複数の画像入力端子および音声入力端子を備えており、各画像入力端子および各音声入力端子より、ビデオ再生装置やパーソナルコンピューター等、外部機器から、図示しないケーブルを介して画像信号（画像情報ともいう）、および音声信号（音声情報ともいう）が入力される。
【００３６】
入力画像保存部２２は、制御部２０の指示により、指定した時点での入力画像データを保存する記憶装置である。
【００３７】
画像信号処理部１７は、信号入力部１８から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３８】
音声信号処理部４０は、信号入力部１８から入力される音声信号を、制御部２０の指示に基づいて増幅し、音声出力部４１に出力する。
【００３９】
音声出力部４１は、音声信号処理部４０から入力される音声信号を、ユーザーに聞こえる可聴情報として出力する。
【００４０】
ＯＳＤ処理部１６は、制御部２０の指示に基づいて、投写画像上に、メニュー画像やメッセージ画像等のＯＳＤ（オンスクリーンディスプレイ）画像を重畳して表示するための処理を行う。ＯＳＤ処理部１６は、図示しないＯＳＤメモリーを備えており、ＯＳＤ画像を形成するための図形やフォント等を表すＯＳＤ画像情報を記憶している。
【００４１】
制御部２０が、ＯＳＤ画像の重畳表示を指示すると、ＯＳＤ処理部１６は、必要なＯＳＤ画像情報をＯＳＤメモリーから読み出し、投写画像上の所定の位置にＯＳＤ画像が重畳されるように、画像信号処理部１７から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部１６は、画像信号処理部１７から入力される画像情報を、そのまま液晶駆動部１４に出力する。
【００４２】
液晶駆動部１４は本実施形態における画像形成部であり、ＯＳＤ処理部１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４３】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４４】
光源制御部２５は、制御部２０の指示に基づいて、光源１１に対する電力の供給と停止とを制御し、光源１１の点灯、及び消灯を切り替える。
【００４５】
シャッター位置検出部１５は、フォトセンサー１５ａなどで構成され、シャッター４を操作ツマミ４ａでスライド移動したときの位置が開放位置、閉鎖位置、画像保存位置のいずれの位置にあるかを検出し、その検出結果を制御部２０に出力する。
【００４６】
図６はシャッター４をスライド移動したときのシャッター位置検出部１５による検出状態を示す図であり、シャッター４の後方、所謂筐体２の内側方向から見た図である。
図６に示すように、シャッター４の右後方にはフォトセンサー１５ａが配置されている。また、シャッター４の後方に対する面には、上下、左右方向に互いにずれた位置において、マーカー４ｂ、４ｃ、４ｄが設けられており、フォトセンサー１５ａはそれぞれを検出することでシャッター４の位置を検出できるようになっている。
【００４７】
図６（ａ）に示すように、シャッター４が閉鎖位置にあるときは開口部３を閉塞している。このとき、フォトセンサー１５ａは最上部のマーカー４ｂを検出している。
図６（ｂ）に示すように、シャッター４を画像保存位置に移動すると、シャッター４は開口部３を開口させ、フォトセンサー１５ａは２番目のマーカー４ｃを検出する。
図６（ｃ）に示すように、シャッター４を開放位置に移動すると、フォトセンサー１５ａは最下部のマーカー４ｄを検出する。
シャッター位置検出部１５は、フォトセンサー１５ａの検出結果からシャッター４が閉鎖位置、画像保存位置、開放位置のいずれの位置にあるかを制御部２０に出力する。
【００４８】
なお、本実施形態ではフォトセンサー１５ａを用いているが、磁気センサーやメカスイッチなどを用いた構成にしても良い。
【００４９】
また、本実施形態では、シャッター４は開口部３の後方に備えられ、投写レンズ１３から出た光を遮断するようになっているが、光源１１から出た光がスクリーンＳＣに投写されるまでの間において、光路を遮断する構成であれば良く、例えば光源１１と液晶ライトバルブ１２Ｒ，１２Ｇ，１２Ｂ，投写レンズ１３との間にシャッター４が備えられても良い。
【００５０】
次に、本実施形態のプロジェクター１の動作を図５のフローチャートを用いて説明する。
図５はプロジェクター１が動作中にシャッター４の移動を検出したときの動作を示すフローチャートである。
【００５１】
図５に示すように、プロジェクター１が動作中にシャッター４の位置が変わったこと（移動）を検出すると（ステップＳ１０１）、制御部２０はシャッター４が開放位置から画像保存位置に移動したか否かを調べる（ステップＳ１０２）。
シャッター４が開放位置から画像保存位置に移動した場合（ステップＳ１０２：Ｙ）、ステップＳ１０５に遷移する。シャッター４が開放位置から画像保存位置に移動したのではない場合（ステップＳ１０２：Ｎ）は、ステップＳ１０３へ遷移する。
【００５２】
ステップＳ１０３において、制御部２０はシャッター４が閉鎖位置から画像保存位置に移動したか否かを調べる。シャッター４が閉鎖位置から画像保存位置に移動した場合（ステップＳ１０３：Ｙ）、ステップＳ１０６に遷移する。シャッター４が閉鎖位置から画像保存位置に移動したのではない場合（ステップＳ１０３：Ｎ）は、ステップＳ１０４へ遷移する。
【００５３】
ステップＳ１０４において、制御部２０はシャッター４が閉鎖位置に移動したか否かを調べる。シャッター４が閉鎖位置に移動した場合（ステップＳ１０４：Ｙ）、ステップＳ１０７に遷移する。シャッター４が閉鎖位置にない場合、即ち開放位置にある場合（ステップＳ１０４：Ｎ）、ステップＳ１０８に遷移する。
【００５４】
ステップＳ１０５において、制御部２０はタイマー２０ａによる計時を開始（スタート）し、ステップＳ１１０に遷移する。
【００５５】
ステップＳ１１０において、制御部２０はシャッター４が画像保存位置にあるか否かを調べる。シャッター４が画像保存位置にある場合（ステップＳ１１０：Ｙ）、ステップＳ１１１に遷移する。シャッター４が画像保存位置にない場合（ステップＳ１１０：Ｎ）、ステップＳ１０２に遷移する。
【００５６】
ステップＳ１１１において、制御部２０はタイマー２０ａが所定の時間である時間Ｔ１（例えば０．５秒）を経過したか否かを調べる。タイマー２０ａが時間Ｔ１を経過した場合（ステップＳ１１１：Ｙ）、ステップＳ１１２に遷移する。タイマー２０ａが時間Ｔ１を経過していない場合（ステップＳ１１１：Ｎ）、ステップＳ１１０に遷移する。
つまり、シャッター４を画像保存位置に時間Ｔ１以上保持した場合にステップＳ１１２に遷移する。
【００５７】
ステップＳ１１２において、制御部２０は信号入力部１８に入力中の入力画像を入力画像保存部２２に保存し、音声信号処理部４０に指示して音声出力部４１からの音声出力を停止する（音声ミュート）。次にステップＳ１０９に遷移する。
【００５８】
ステップＳ１０６において、制御部２０は入力画像保存部２２に入力画像が保存されているか否かを調べる。入力画像保存部２２に入力画像が保存されている場合（ステップＳ１０６：Ｙ）、ステップＳ１１３に遷移する。入力画像保存部２２に入力画像が保存されていない場合（ステップＳ１０６：Ｎ）、ステップＳ１０２に遷移する。
【００５９】
ステップＳ１１３において、制御部２０はタイマー２０ａによる計時を開始（スタート）し、ステップＳ１１４に遷移する。
【００６０】
ステップＳ１１４において、制御部２０はシャッター４が画像保存位置にあるか否かを調べる。シャッター４が画像保存位置にある場合（ステップＳ１１４：Ｙ）、ステップＳ１１５に遷移する。シャッター４が画像保存位置にない場合（ステップＳ１１４：Ｎ）、ステップＳ１０２に遷移する。
【００６１】
ステップＳ１１５において、制御部２０はタイマー２０ａが所定の時間である時間Ｔ１（例えば０．５秒）を経過したか否かを調べる。タイマー２０ａが時間Ｔ１を経過した場合（ステップＳ１１５：Ｙ）、ステップＳ１１６に遷移する。タイマー２０ａが時間Ｔ１を経過していない場合（ステップＳ１１５：Ｎ）、ステップＳ１１４に遷移する。つまり、シャッター４を画像保存位置に時間Ｔ１以上保持した場合にステップＳ１１６に遷移する。
【００６２】
ステップＳ１１６において、制御部２０は入力画像保存部２２に保存された入力画像を画像投写部１０に投写させ、音声信号処理部４０に指示して音声出力部４１からの音声出力を停止する（音声ミュート）。次にステップＳ１０９に遷移する。
【００６３】
ステップＳ１０７において、制御部２０は予め設定されたミュート画像（例えば黒画像）を画像投写部１０に投写させ、音声信号処理部４０に指示して音声出力部４１からの音声出力を停止する（音声ミュート）。次にステップＳ１０９に遷移する。
【００６４】
ステップＳ１０８において、信号入力部１８より入力される画像を画像投写部１０に投写させ、入力画像保存部２２に保存されている入力画像を消去し、音声信号処理部４０に指示して音声出力部４１からの音声出力を開始する。次にステップＳ１０９に遷移する。
【００６５】
ステップＳ１０９において本動作フローを終了する。
【００６６】
以上説明したように、本実施形態のプロジェクター１によれば、シャッター４を画像保存位置に移動することにより、入力画像を入力画像保存部２２に保存して投写し、シャッター４を閉鎖位置にすることで、画像の投写を中断する。これにより、シャッター４の移動という簡易な操作のみで入力画像静止機能と、画像の投写を中断する画像ミュート機能とを実現することが可能となる。
【００６７】
また、シャッター４を閉鎖位置から画像保存位置に移動することにより、入力画像保存部２２に保存された画像データを投写する。これにより、一度画像ミュート状態にした後でも画像ミュート直前に保存した画像を再度投写させることが可能となる。
【００６８】
また、シャッター４を画像保存位置に移動することにより画像を静止した状態で音声出力も中断する。これにより、別途音量操作、音声出力停止操作をすることなく、簡易な操作で画像静止と音声ミュート機能とを実現することが可能となる。
【００６９】
また、上記実施形態は、以下のように変更してもよい。
（変形例１）
上述した実施形態において、シャッター４を画像保存位置に移動し、入力画像保存部２２に保存した画像を投写しているが、この状態において、保存画像を投写していることを示すメッセージ、またはアイコンなどを重畳して画像投写部１０より投写させてもよい。これにより、投写しているのが現在入力している画像でなく、保存した画像であることがわかり、シャッター４を開放位置に戻し忘れるのを回避することができる。
【符号の説明】
【００７０】
１…プロジェクター、２…筐体、３…開口部、４…シャッター、４ａ…操作ツマミ、４ｂ，４ｃ，４ｄ…マーカー、５…スリット、１０…画像投写部、１１…光源、１２Ｒ，１２Ｇ，１２Ｂ…液晶ライトバルブ、１３…投写レンズ、１４…液晶駆動部、１５…シャッター位置検出部、１５ａ…フォトセンサー、１６…ＯＳＤ処理部、１７…画像信号処理部、１８…信号入力部、２０…制御部、２０ａ…タイマー、２１…記憶部、２５…光源制御部、２２…入力画像保存部、２３…入力操作部、３０…電源端子、３１…電源部、４０…音声信号処理部、４１…音声出力部。
【図１】
2012220599.tif 000003
【図２】
2012220599.tif 000004
【図３】
2012220599.tif 000005
【図４】
2012220599.tif 000006
【図５】
2012220599.tif 000007
【図６】
2012220599.tif 000008